(57)【要約】【課題】文字の線幅を調整する際に、画像情報にボールド文字とボールドでない文字とが混在した場合でも、これらの文字に対して一律に線幅の調整を行う場合に比べて、調整後の文字に対して不自然さが生じにくい画像形成装置等を提供する。【解決手段】用紙Ｐに画像を形成する画像形成手段と、画像形成手段にて画像を形成するための画像情報にボールド文字の情報とボールドでない文字の情報とが含まれる場合であり、文字を構成する線の太さを変更する場合に、ボールド文字とボールドでない文字とで文字を構成する線の太さを変更する加減量を異なる量とする制御部７０と、を備えることを特徴とする画像形成装置１。【選択図】図１
2016064510.tif 000002
【特許請求の範囲】
【請求項１】
記録材に画像を形成する画像形成手段と、
前記画像形成手段にて画像を形成するための画像情報にボールド文字の情報とボールドでない文字の情報とが含まれる場合であり、文字を構成する線の太さを変更する場合に、ボールド文字とボールドでない文字とで文字を構成する線の太さを変更する加減量を異なる量とする画像処理手段と、
を備えることを特徴とする画像形成装置。
【請求項２】
前記加減量は、文字を構成する線の太さを太くする場合も細くする場合も、ボールドでない文字よりボールド文字の方を大きく設定されることを特徴とする請求項１に記載の画像形成装置。
【請求項３】
前記加減量は、文字のサイズが大きくなるほどより大きく設定されることを特徴とする請求項１または２に記載の画像形成装置。
【請求項４】
前記ボールド文字および前記ボールドでない文字は、アウトラインフォントであることを特徴とする請求項１乃至３の何れか１項に記載の画像形成装置。
【請求項５】
記録材に画像を形成する画像形成手段にて画像を形成するための画像情報を取得する画像情報取得部と、
前記画像情報にボールド文字の情報とボールドでない文字の情報とが含まれる場合であり、文字を構成する線の太さを変更する場合に、ボールド文字とボールドでない文字とで文字を構成する線の太さを変更する加減量を異なる量とする線幅調整部と、
を備えることを特徴とする画像処理装置。
【発明の詳細な説明】
【技術分野】
【０００１】
本発明は、画像形成装置、画像処理装置に関する。
【背景技術】
【０００２】
例えば、電子写真方式やインクジェット方式等を用いた複写機やプリンタ等の画像形成装置においては、入力された画像情報に種々の画像処理を施した後、画像形成手段によって画像を形成することがある。そして画像処理として、文字の線幅を調整することがある。
【０００３】
特許文献１には、画像情報を、前処理部で前処理を施した後、変換部で出力装置用のデータに変換し出力し、前処理部では、画像情報に含まれる文字又は線の濃度、太さ、色、サイズ、フォント種類等の予め定めた１つ以上の属性に関する条件判定を行い、この条件判定の結果に応じて文字又は線の太さ又は濃度を変更する画像情報処理方法が開示されている。
【先行技術文献】
【特許文献】
【０００４】
【特許文献１】特開平１１−１２９５４７号公報
【発明の概要】
【発明が解決しようとする課題】
【０００５】
画像情報にボールド文字とボールドでない文字とが混在する場合がある。このとき文字の線幅を一律に太くする調整を行なった場合、調整後のボールド文字が判別しにくくなる等の問題が生じることがある。また文字の線幅を一律に細くする調整を行なった場合、調整後のボールド文字が目立ちすぎる等の問題が生じることがある。
【０００６】
文字の線幅を調整する際に、画像情報にボールド文字とボールドでない文字とが混在した場合であっても、これらの文字に対して一律に線幅の調整を行う場合に比べて、調整後の文字に対して不自然さが生じにくいようにすることが望まれる。
【課題を解決するための手段】
【０００７】
請求項１に記載の発明は、記録材に画像を形成する画像形成手段と、前記画像形成手段にて画像を形成するための画像情報にボールド文字の情報とボールドでない文字の情報とが含まれる場合であり、文字を構成する線の太さを変更する場合に、ボールド文字とボールドでない文字とで文字を構成する線の太さを変更する加減量を異なる量とする画像処理手段と、を備えることを特徴とする画像形成装置である。
請求項２に記載の発明は、前記加減量は、文字を構成する線の太さを太くする場合も細くする場合も、ボールドでない文字よりボールド文字の方を大きく設定されることを特徴とする請求項１に記載の画像形成装置である。
請求項３に記載の発明は、前記加減量は、文字のサイズが大きくなるほどより大きく設定されることを特徴とする請求項１または２に記載の画像形成装置である。
請求項４に記載の発明は、前記ボールド文字および前記ボールドでない文字は、アウトラインフォントであることを特徴とする請求項１乃至３の何れか１項に記載の画像形成装置である。
請求項５に記載の発明は、記録材に画像を形成する画像形成手段にて画像を形成するための画像情報を取得する画像情報取得部と、前記画像情報にボールド文字の情報とボールドでない文字の情報とが含まれる場合であり、文字を構成する線の太さを変更する場合に、ボールド文字とボールドでない文字とで文字を構成する線の太さを変更する加減量を異なる量とする線幅調整部と、を備えることを特徴とする画像処理装置である。
【発明の効果】
【０００８】
請求項１の発明によれば、文字の線幅を調整する際に、画像情報にボールド文字とボールドでない文字とが混在した場合でも、これらの文字に対して一律に線幅の調整を行う場合に比べて、調整後の文字に対して不自然さが生じにくい画像形成装置を提供できる。
請求項２の発明によれば、調整後の文字に対して不自然さがより生じにくくなる。
請求項３の発明によれば、ボールド文字とボールドでない文字とで調整後の文字の線幅の比率を保持しやすくなる。
請求項４の発明によれば、文字の線幅を調整がより容易になる。
請求項５の発明によれば、文字の線幅を調整する際に、画像情報にボールド文字とボールドでない文字とが混在した場合でも、これらの文字に対して一律に線幅の調整を行う場合に比べて、調整後の文字に対して不自然さが生じにくい画像を形成することができる画像処理装置を提供できる。
【図面の簡単な説明】
【０００９】
【図１】本実施の形態の画像形成装置の概要を示す図である。
【図２】画像形成装置の制御部における信号処理系を示すブロック図である。
【図３】（ａ）〜（ｆ）は、線幅調整部により行なわれる処理の一例について説明した図である。
【図４】（ａ）〜（ｄ）は、ボールド文字とボールドでない文字の双方について一律に文字の太さを太らせる処理を実際に行なった場合を示している。
【図５】本実施の形態の線幅調整部について説明したブロック図である。
【図６】ユーザがパラメータを入力する際にＵＩ部に表示される画面の一例を示した図である。
【図７】線幅調整部の動作について説明したフローチャートである。
【発明を実施するための形態】
【００１０】
＜画像形成装置の全体構成の説明＞
以下、添付図面を参照して、本発明の実施の形態について詳細に説明する。
図１は、本実施の形態の画像形成装置１の概要を示す図である。
この画像形成装置１は、例えば電子写真方式にて各色成分トナー像が形成される複数（本実施の形態では４つ）の画像形成ユニット１０（具体的には１０Ｙ（イエロー）、１０Ｍ（マゼンタ）、１０Ｃ（シアン）、１０Ｋ（黒））を備える。また、この画像形成装置１は、各画像形成ユニット１０で形成された各色成分トナー像を順次転写（一次転写）保持させる中間転写ベルト２０を具備する。さらに、この画像形成装置１は、中間転写ベルト２０に転写されたトナー像を用紙Ｐ（記録材、記録媒体）に一括転写（二次転写）させる二次転写装置３０を備える。さらにまた、この画像形成装置１は、二次転写されたトナー像を用紙Ｐ上に定着させる定着装置５０、および画像形成装置１の各機構部を制御する制御部７０を有している。
本実施の形態では、画像形成ユニット１０、中間転写ベルト２０、二次転写装置３０、および定着装置５０により、用紙Ｐに画像を形成する画像形成手段が構成される。
【００１１】
各画像形成ユニット１０（１０Ｙ、１０Ｍ、１０Ｃ、１０Ｋ）は、使用されるトナーの色を除き、同じ構成を有している。そこで、イエローの画像形成ユニット１０Ｙを例に説明を行う。イエローの画像形成ユニット１０Ｙは、図示しない感光層を有し、矢印Ａ方向に回転可能に配設され、像を保持する感光体ドラム１１を具備している。この感光体ドラム１１の周囲には、帯電ロール１２、露光部１３、現像器１４、一次転写ロール１５、およびドラムクリーナ１６が配設される。
【００１２】
このうち、帯電ロール１２は、感光体ドラム１１に接触配置される回転体である。そして図示しない帯電電源に接続され、この帯電電源は、帯電ロール１２に対し予め定められた周波数の交流帯電バイアスを重畳した正極性または負極性の直流帯電バイアスを供給する。
また露光部１３は、帯電ロール１２によって帯電された感光体ドラム１１に、レーザ光Ｂｍによって静電潜像を書き込む。現像器１４は、対応する色成分トナー（イエローの画像形成ユニット１０Ｙではイエローのトナー）を収容し、このトナーによって感光体ドラム１１上の静電潜像を現像する。一次転写ロール１５は、感光体ドラム１１上に形成されたトナー像を中間転写ベルト２０に一次転写する。ドラムクリーナ１６は、一次転写後の感光体ドラム１１上の残留物（トナー等）を除去する。
【００１３】
中間転写ベルト２０は、複数（本実施の形態では５つ）の支持ロールに回転可能に張架支持される。これらの支持ロールのうち、駆動ロール２１は、中間転写ベルト２０を張架するとともに中間転写ベルト２０を駆動して矢印Ｂ方向に回転させる。また、張架ロール２２および張架ロール２５は、中間転写ベルト２０を張架するとともに駆動ロール２１によって駆動される中間転写ベルト２０に従がって回転する。補正ロール２３は、中間転写ベルト２０を張架するとともに中間転写ベルト２０の搬送方向に直交する方向の蛇行を規制するステアリングロール（軸方向一端部を支点として傾動自在に配設される）として機能する。さらに、バックアップロール２４は、中間転写ベルト２０を張架するとともに二次転写装置３０の構成部材として機能する。
また、中間転写ベルト２０を挟んで駆動ロール２１と対向する部位には、二次転写後の中間転写ベルト２０上の残留物（トナー等）を除去するベルトクリーナ２６が配設されている。
【００１４】
二次転写装置３０は、中間転写ベルト２０のトナー像保持面側に圧接配置される二次転写ロール３１と、中間転写ベルト２０の裏面側に配置されて二次転写ロール３１の対向電極をなすバックアップロール２４とを備えている。このバックアップロール２４には、トナーの帯電極性と同極性の二次転写バイアスを印加する給電ロール３２が接触して配置されている。一方、二次転写ロール３１は接地されている。
【００１５】
また、用紙搬送系は、用紙トレイ４０、搬送ロール４１、レジストレーションロール４２、搬送ベルト４３、および排出ロール４４を備える。用紙搬送系では、用紙トレイ４０に積載された用紙Ｐを搬送ロール４１にて搬送した後、レジストレーションロール４２で一旦停止させ、その後予め定められたタイミングで二次転写装置３０の二次転写位置へと送り込む。また、二次転写後の用紙Ｐを、搬送ベルト４３を介して定着装置５０へと搬送し、定着装置５０から排出された用紙Ｐを排出ロール４４によって機外へと送り出す。
【００１６】
次に、この画像形成装置１の基本的な作像プロセスについて説明する。今、図示外のスタートスイッチがオン操作されると、予め定められた作像プロセスが実行される。具体的に述べると、例えばこの画像形成装置１をプリンタとして構成する場合には、ＰＣ（パーソナルコンピュータ）等、外部から入力されるデジタル画像信号をメモリに一時的に蓄積する。そして、メモリに蓄積されている４色（Ｙ色、Ｍ色、Ｃ色、Ｋ色）のデジタル画像信号に基づいて各色のトナー像形成を行う。すなわち、各色のデジタル画像信号に応じて各画像形成ユニット１０（具体的には１０Ｙ、１０Ｍ、１０Ｃ、１０Ｋ）をそれぞれ駆動する。次に、各画像形成ユニット１０では、帯電ロール１２により帯電された感光体ドラム１１に、露光部１３によりデジタル画像信号に応じたレーザ光Ｂｍを照射することで、静電潜像を形成する。そして、感光体ドラム１１に形成された静電潜像を現像器１４により現像し、各色のトナー像を形成させる。なお、この画像形成装置１を複写機として構成する場合には、図示しない原稿台にセットされる原稿をスキャナで読み取り、得られた読み取り信号を処理回路によりデジタル画像信号に変換した後、上記と同様にして各色のトナー像の形成を行うようにすればよい。
【００１７】
その後、各感光体ドラム１１上に形成されたトナー像は、感光体ドラム１１と中間転写ベルト２０とが接する一次転写位置で、一次転写ロール１５によって中間転写ベルト２０の表面に順次一次転写される。一方、一次転写後に感光体ドラム１１上に残存するトナーは、ドラムクリーナ１６によってクリーニングされる。
【００１８】
このようにして中間転写ベルト２０に一次転写されたトナー像は中間転写ベルト２０上で重ね合わされ、中間転写ベルト２０の回転に伴って二次転写位置へと搬送される。一方、用紙Ｐは予め定められたタイミングで二次転写位置へと搬送され、バックアップロール２４に対して二次転写ロール３１が用紙Ｐを挟持する。
【００１９】
そして、二次転写位置において、二次転写ロール３１とバックアップロール２４との間に形成される転写電界の作用で、中間転写ベルト２０上に保持されたトナー像が用紙Ｐに二次転写される。トナー像が転写された用紙Ｐは、搬送ベルト４３により定着装置５０へと搬送される。定着装置５０では、用紙Ｐ上のトナー像が加熱・加圧定着され、その後、機外に設けられた排紙トレイ（図示せず）に送り出される。一方、二次転写後に中間転写ベルト２０に残存するトナーは、ベルトクリーナ２６によってクリーニングされる。
【００２０】
＜信号処理系の説明＞
図２は、画像形成装置１の制御部７０における信号処理系を示すブロック図である。
なお図２では、制御部７０における信号処理系のみならず、画像形成装置１の外部装置であるＰＣ（Personal Computer）、および信号処理系により処理された画像信号に基づき画像の形成を行なうマーキングエンジンについても併せて図示している。このマーキングエンジンは、例えば、図１で説明した画像形成装置１において実際に画像を形成する画像形成手段に対応する。なお、この例では、画像形成装置１をプリンタとして構成する例を示している。以下、図２を参照しつつ画像信号の処理の流れについて説明を行なう。
【００２１】
制御部７０は、画像形成装置１にて画像を出力するために作成された画像データ（画像情報）を取得する画像情報取得部の一例としての画像データ取得部７１と、画像データ中の文字（フォント）の線幅を調整する線幅調整部７２と、線幅調整部７２により調整後の画像データからラスタイメージを作成するラスタライズ（rasterize）部７３と、ＲＧＢデータをＹＭＣＫデータに変換する色変換処理部７４と、色変換処理部７４により変換されたラスタイメージの調整を行なうラスタイメージ調整部７５と、スクリーン処理を行なうスクリーン処理部７６と、画像処理をされた画像データを出力する画像データ出力部７７とを備える。
【００２２】
本実施の形態では、まず画像データ取得部７１が外部のＰＣから画像データを受け取る。この画像データは、ＰＣを使用するユーザが、画像形成装置１により印刷したい印刷データである。
【００２３】
線幅調整部７２は、画像データ中の文字の線幅を調整する。
マーキングエンジンで形成される画像として文字の画像を形成した場合、用紙Ｐや、温度などの環境条件等の影響を受け、文字を構成する線の線幅（太さ）が所望のものとならないときがある。また画像形成装置１を使用するユーザが好みに合わせて文字の太さを変更したい場合もある。そのため本実施の形態では、線幅調整部７２を設け、文字を構成する線の線幅（太さ）の調整を行なうようにしている。
【００２４】
ラスタライズ部７３は、線幅調整部７２から出力される画像データをラスタライズして各画素毎のラスタデータに変換し、ラスタイメージとする。そして、ラスタライズ部７３は、変換後のラスタデータをＲＧＢ（Ｒｅｄ、Ｇｒｅｅｎ、Ｂｌｕｅ）のビデオデータ（ＲＧＢビデオデータ）として出力する。このとき、ラスタライズ部７３は、１ページ毎にＲＧＢデータを出力することになる。
【００２５】
色変換処理部７４は、ラスタライズ部７３から入力されるＲＧＢデータをデバイスインディペンデントな［ＸＹＺ］、［Ｌ＊ａ＊ｂ＊］、［Ｌ＊ｕ＊ｖ＊］等のカラーバリューに変換した後、画像形成装置１の再現色（色材であるトナーの色：イエロー（Ｙ）、マゼンタ（Ｍ）、シアン（Ｃ）、黒（Ｋ））であるＹＭＣＫデータに変換して出力する。このＹＭＣＫデータは、色毎に分離されたＹ色データ、Ｍ色データ、Ｃ色データ、Ｋ色データで構成される。
【００２６】
ラスタイメージ調整部７５は、色変換処理部７４から入力されるＹＭＣＫデータに対し、γ変換、精細度処理、中間調処理等を施すことで、より良好な画質を画像形成装置１で得られるように各種の調整を行なう。
【００２７】
スクリーン処理部７６は、主走査方向および副走査方向に予め定められた閾値配列を有するディザマスクを使用したディザマスク処理により、画像情報にスクリーン処理を行なう。これにより画像データは、例えば、多値で表されるものから二値で表されるものとなる。
【００２８】
画像データ出力部７７は、色変換処理等の画像処理をされた画像データをマーキングエンジンに出力する。
【００２９】
マーキングエンジンで文字を印刷する場合、ＰＣ等から取得する画像データには文字の情報（文字データ）が含まれることがある。そして印刷したい文字としてボールド文字とボールドでない文字とが混在するときがある。この場合、画像データにもボールド文字の情報とボールドでない文字の情報が混在して含まれる。なおボールド文字とは、文字を構成する線の太さを通常より太くした文字のことである。またボールドでない文字とは、ボールド文字以外の文字のことであり、文字を構成する線の太さを通常とした文字のことである。
このとき線幅調整部７２によりボールド文字とボールドでない文字の双方について一律に文字の太さの調整を行なった場合、以下の問題が生じる。
【００３０】
図３（ａ）〜（ｆ）は、線幅調整部７２により行なわれる処理の一例について説明した図である。ここでは文字データがアウトラインフォントであった場合に、文字の太さの調整を行なう場合を示している。なおアウトラインフォントとは、文字の形状を、基準となる点の座標と輪郭線の集まりとして表現する文字データのことである。
アウトラインフォントの場合、文字データとして、アンカーポイントＡｐや方向線の制御点などの情報が含まれている。そしてこれらの情報を基に、図３（ａ）に示すようにベジェ曲線などでアウトラインを形成する。図３（ａ）の例では、「Ｆ」の文字についてアウトラインＬを形成した場合を示している。
【００３１】
次に文字の太さを調整しない場合は、図３（ａ）で形成したアウトラインＬの内側を、図３（ｂ）に示すように塗りつぶせば文字が完成する。
【００３２】
一方、文字の太さを太らせる（線幅を大きくする）処理を行なうためには、まず図３（ｃ）に示すように、アンカーポイントＡｐを基に、図３（ａ）で形成したアウトラインＬを挟むようにして予め定められた幅の線を設定する。この線をここではストロークＳとして図示している。なおストロークＳの幅を調整することで文字の線の太さを太らせる加減量を調整することができる。
【００３３】
そしてストロークＳのつなぎ目を補正すると図３（ｄ）のようになる。なおここでは、ストロークＳの外側のエッジ部をＳｏｕｔ、内側のエッジ部をＳｉｎで図示している。
【００３４】
さらにストロークＳの外側のエッジ部Ｓｏｕｔの内側を塗りつぶすと、図３（ｅ）に示すように文字の太さを太らせることができる。
【００３５】
一方、ストロークＳの内側のエッジ部Ｓｉｎの内側を塗りつぶすと、図３（ｆ）に示すように文字の太さを細らせる（線幅を小さくする）処理を行なうことができる。
【００３６】
このときボールド文字とボールドでない文字の双方について、同様の幅のストロークＳを設定し、一律に文字の太さを太らせる調整をすると、変更後のボールド文字が判別しにくくなる。つまりボールド文字の線幅とボールドでない文字の線幅の比率が太らせる前より小さくなり、これに起因してボールド文字が目立たなくなる。
【００３７】
これを具体的な例で説明すると、ボールドでない文字について線幅が例えば４ｄｏｔ（画素）であり、ボールド文字が６ｄｏｔであったとする。この双方を一律に２ｄｏｔずつ太らせた場合、ボールドでない文字については、６ｄｏｔとなり、ボールド文字は８ｄｏｔとなる。このときボールド文字の線幅とボールドでない文字との線幅の比率（ボールド文字の線幅／ボールドでない文字との線幅）は、文字を太らせる前が６／４＝１．５であったのに対し、文字を太らせた後は、８／６＝約１．３３となる。即ち、比率は小さくなっている。
【００３８】
一方、ボールド文字とボールドでない文字の双方について、同様の幅のストロークＳを設定し、一律に文字の太さを細らせる調整をすると、変更後のボールド文字が浮き出たように見える。つまりボールド文字の線幅とボールドでない文字の線幅の比率が細らせる前より大きくなり、これに起因してボールド文字が目立ちすぎるようになる。
【００３９】
これを具体的な例で説明すると、ボールドでない文字について線幅が例えば４ｄｏｔ（画素）であり、ボールド文字が６ｄｏｔであったとする。この双方を一律に１ｄｏｔずつ細らせた場合、ボールドでない文字については、３ｄｏｔとなり、ボールド文字は５ｄｏｔとなる。このときボールド文字の線幅とボールドでない文字との線幅の比率（ボールド文字の線幅／ボールドでない文字との線幅）は、文字を細らせる前が６／４＝１．５であったのに対し、文字を細らせた後は、５／３＝約１．６７となる。即ち、比率は大きくなっている。
【００４０】
図４（ａ）〜（ｄ）は、ボールド文字とボールドでない文字の双方について一律に文字の太さを太らせる処理を実際に行なった場合を示している。
このうち図４（ａ）は、ボールドでない文字（図では「通常」として図示」について太らせる前（調整前）の状態を示している。また図４（ｂ）は、ボールド文字について太らせる前（調整前）の状態を示している。
これらの文字について同様の幅のストロークＳを設定し、一律に文字の太さを細らせる調整をすると、それぞれ図４（ｃ）および図４（ｄ）のようになる。このとき文字を太らせる前の図４（ａ）と図４（ｂ）を比較した場合、ボールドでない文字よりボールド文字の方がより目立ち、認識しやすいことがわかる。対して、文字を太らせた後（調整後）の図４（ｃ）と図４（ｄ）を比較した場合、線幅があまり変わらない印象を受け、ボールド文字が目立ちにくくなっている。
【００４１】
つまり文字の太さを調整する前と後とで、文字を構成する線の線幅の比率が変化すると調整後の文字について不自然さが生じやすくなる。よって文字の太さを調整する際には、この比率を極力維持するようにすることが望ましい。
【００４２】
そこで本実施の形態では、線幅調整部７２を以下のような構成として上記問題の抑制を図っている。
【００４３】
＜線幅調整部の説明＞
図５は、本実施の形態の線幅調整部７２について説明したブロック図である。
図示するように線幅調整部７２は、画像解析部７２１と、パラメータ取得部７２２と、パラメータ記憶部７２３と、加減量算出部７２４と、文字構成部７２５とを備える。
【００４４】
画像解析部７２１は、画像データ取得部７１（図２参照）が取得した画像データを解析し、文字データが含まれているか否かを解析する。
【００４５】
パラメータ取得部７２２は、文字の太さを調整する加減量を算出するためのパラメータを取得する。このパラメータは、パラメータ記憶部７２３に記憶されており、パラメータ取得部７２２は、パラメータ記憶部７２３からパラメータを読み出し取得する。
【００４６】
加減量算出部７２４は、文字の太さを調整する程度である加減量を算出する。加減量算出部７２４は、例えば、以下の（１）式、（２）式により加減量Ｗ１、Ｗ２を算出する。このうち（１）式は、ボールドでない文字について加減量Ｗ１を算出する式である。また（２）式は、ボールド文字について加減量Ｗ２を算出する式である。ここでＸは、どの程度文字を太らせたり細らせたりするかを表す指定値、α、βは定数である。Ｘ、α、βはパラメータ取得部７２２が取得するパラメータである。加減方向はＸが正の数か負の数かによって決定する。
【００４７】
ボールドでない文字の場合
Ｗ１＝｜Ｘ｜×α    …（１）
ボールド文字の場合
Ｗ２＝｜Ｘ｜×α＋（フォントサイズ）×β    …（２）
【００４８】
Ｘが正の数の場合、Ｓｏｕｔの内側を塗りつぶして文字を太らせる。
α、βは正の数であり、よって文字を太らせる場合は、Ｗ１＜Ｗ２となり、ボールドでない文字の場合よりボールド文字の場合の方が、文字を太らせる（線幅を大きくする）程度はより大きくなる。つまり図３で説明した比率が保ちやすくなり、ボールド文字は、文字を太らせる前と同様に目立ちやすくなる。
【００４９】
Ｘが負の数の場合、Ｓｉｎの内側を塗りつぶして文字を細らせる。
文字を細らせる場合も、Ｗ１、Ｗ２の双方とも正の数となり、Ｗ１＜Ｗ２となる。つまりボールドでない文字の場合よりボールド文字の場合の方が、文字を細らせる（線幅を小さくする）程度としてはより大きくなる。よってボールド文字は、図３で説明した比率が保ちやすくなり、文字を細らせた後でも目立ちすぎることがなくなる。
【００５０】
また本実施の形態では、フォントサイズによりＷ２の値は変動する。つまり、フォントサイズが大きいほどＷ１とＷ２との差がより大きくなる（Ｗ２−Ｗ１がより大きくなる）。フォントサイズが大きいほどＷ２をより大きくし、文字を太らせるまたは細らせる程度をより大きくしないと図３で説明した比率が保ちにくくなる。
【００５１】
なお上述した例は、パラメータが予め定められ、パラメータ記憶部７２３に記憶されている場合であり、例えば、用紙Ｐや、温度などの環境条件等により決定される。即ち、用紙Ｐや、温度などの環境条件等により、パラメータ取得部７２２がパラメータであるＸ、α、βを選択し、これにより加減量算出部７２４が、加減量Ｗ１、Ｗ２を算出する。
【００５２】
一方、画像形成装置１を使用するユーザが好みに合わせて文字の太さを変更する場合は、例えば、画像形成装置１の図示しないＵＩ（User Interface）部にて入力を行なうようにしてもよい。この場合、例えば、上述したパラメータＸの値をユーザが入力する。
【００５３】
図６は、ユーザがパラメータＸを入力する際にＵＩ部に表示される画面の一例を示した図である。
この場合、ＵＩ部は、タッチパネルである。そして画面上部には、「文字の太さ調整のパラメータ入力」のメッセージが表示される。そしてその下には、パラメータを入力するためのスライドバー１０１と、スライダ１０２が表示される。スライダ１０２はユーザのタッチによりスライドバー１０１上において図中左右に移動し、スライドが可能である。スライダ１０２は、初期状態ではスライドバー１０１の中央に位置し、この位置においてパラメータＸは０となり、文字の太さの調整前の状態を表す。
【００５４】
そしてユーザが、画面をタッチし、スライダ１０２をスライドバー１０１上で図中左右にスライドさせると、パラメータＸの値も変化する。この場合パラメータＸは、−２〜＋２の間で変化させることができる。そしてパラメータＸとして正の値を指定した場合は、文字の太さは太くなり、この値が大きいほど文字はより太くなる。逆にパラメータＸとして負の値を指定した場合は文字の太さは細くなり、この値が小さいほど文字はより細くなる。
【００５５】
そしてユーザがパラメータＸを指定し、最後にＯＫボタン１０３をタッチすると、パラメータＸが決定される。ユーザにより入力されたパラメータＸは、パラメータ取得部７２２が取得する。
【００５６】
なお図６の例では、パラメータＸについてユーザが入力する場合であり、パラメータα、βは、パラメータ記憶部７２３に記憶されている。ただしパラメータα、βについてもユーザが入力できるようにしてもよい。
【００５７】
図５に戻り、文字構成部７２５は、図３で説明した方法で文字を構成する。このとき文字構成部７２５は、加減量算出部７２４が算出した加減量Ｗ１、Ｗ２に従い、ストロークＳの幅を調整する。つまり加減量Ｗ１、Ｗ２の絶対値が大きいほどストロークＳの幅は大きくなる。
【００５８】
＜線幅調整部の動作の説明＞
図７は、線幅調整部７２の動作について説明したフローチャートである。
以下、図５および図７を使用して線幅調整部７２の動作について説明を行なう。
まず画像解析部７２１が、画像データ取得部７１（図２参照）が取得した画像データを解析し、文字データが含まれているか否かを解析する（ステップ１０１）。そして文字データが含まれていなかった場合（ステップ１０１でＮｏ）、処理を終了する。
【００５９】
一方、文字データが含まれていた場合（ステップ１０１でＹｅｓ）、パラメータ取得部７２２が、文字の太さを調整する加減量を算出するためのパラメータを取得する（ステップ１０２）。線幅を調整するための加減量Ｗ１、Ｗ２を算出するために、上述した（１）式、（２）式を使用する場合は、パラメータ取得部７２２は、パラメータＸ、α、βを取得する。このパラメータＸ、α、βは、上述したようにパラメータ記憶部７２３から取得してもよく、ＵＩ部等からユーザが入力した値を取得するようにしてもよい。
【００６０】
次に加減量算出部７２４が、文字の太さを調整する程度である加減量Ｗ１、Ｗ２を算出する（ステップ１０３）。加減量算出部７２４は、例えば、上述した（１）式、（２）式を使用し、パラメータＸ、α、βを代入することで加減量Ｗ１、Ｗ２を算出する。
【００６１】
そして文字構成部７２５が、加減量Ｗ１、Ｗ２を基に、ボールド文字とボールドでない文字についてそれぞれのストロークＳの幅を算出する（ステップ１０４）。
さらに文字構成部７２５は、図３で説明した方法で文字を構成する（ステップ１０５）。
【００６２】
そして構成された文字の画像データは、ラスタライズ部７３（図２参照）に出力される。そして図２で説明した画像処理が行なわれた後、マーキングエンジンに出力され、マーキングエンジンにて画像形成が行なわれる。
【００６３】
このように本実施の形態の制御部７０は、マーキングエンジンにて画像を形成するための画像データを取得する画像データ取得部７１と、画像データにボールド文字の情報とボールドでない文字の情報とが含まれる場合であり、文字を構成する線の太さを変更する場合に、ボールド文字とボールドでない文字とで文字を構成する線の太さを変更する加減量を異なる量とする線幅調整部７２とを備える画像処理装置（画像処理手段）として捉えることができる。
【００６４】
以上詳述した方法によれば、文字の線幅を太くする調整を行なった場合、調整後のボールド文字については、ボールドでない文字よりも文字をより太くする程度を大きくし、より太くする処理を行なう。そのため調整後のボールド文字について判別しにくくなる問題が生じにくくなる。
また文字の線幅を細くする調整を行なった場合、調整後のボールド文字については、ボールドでない文字よりも文字をより細くする程度を大きくし、より細くする処理を行なう。そのため調整後のボールド文字について目立ちすぎる問題が生じにくくなる。
このように本実施の形態では、文字の線幅を調整を行なった場合に、文字を構成する線幅の比率が変化しにくく調整後の文字に対して不自然さが生じにくくなる。
【００６５】
なお上述した例では、電子写真方式の画像形成装置１について説明を行ったが、これに限られるものではない。例えば、インクジェット方式の画像形成装置についても適用できる。
また上述した例では、用紙Ｐや、温度などの環境条件、ユーザの指示により文字の線幅の調整を行なっていたが、これに限られるものではない。例えば、文字の画像の濃度、文字（フォント）の種類などにより調整を行なってもよい。
【符号の説明】
【００６６】
１…画像形成装置、１０…画像形成ユニット、２０…中間転写ベルト、３０…二次転写装置、５０…定着装置、７０…制御部、７２…線幅調整部、７２１…画像解析部、７２２…パラメータ取得部、７２３…パラメータ記憶部、７２４…加減量算出部、７２５…文字構成部
【図１】
2016064510.tif 000003
【図２】
2016064510.tif 000004
【図３】
2016064510.tif 000005
【図４】
2016064510.tif 000006
【図５】
2016064510.tif 000007
【図６】
2016064510.tif 000008
【図７】
2016064510.tif 000009